(57)【要約】      （修正有）【課題】ほうれん草などの葉采類を出荷する時は横詰収納することができ、輸送中は箱を９０度回して、収納物を縦にして輸送することができる段ボール箱を提供する。【解決手段】底板固定用差込フラップのフォーク状に突き出る差込を対向する底板形成用外フラップに設けた切込み溝とＬ形スリットロック穴に差し込むことにより底板が形成され、また上蓋固定用差込フラップ１３を上蓋形成用外フラップ１４、１４に設けた切込み溝１７と、Ｌ形スリットロック穴１９にフォーク状に突き出る差込を差し込むことにより上蓋が形成されるため、葉菜類を横詰め収納することができる。又、農産物収納後は、箱の上下を略９０度回転させ、対向側板１１,１１の段ボールの目方向を横から縦方向にすることで、取っ手穴２５が上にくるようにして輸送する。【選択図】図３
0003157952.tif 000002
【実用新案登録請求の範囲】
【請求項１】
１組の短辺側の対向側板１１,１１と、他の組の長辺側の平面板１２、１２と、前記短辺側の対向側板１１,１１の上端に連接された上蓋固定用差込フラップ１３又は内フラップ１３ａと、前記長辺側の平面板１２、１２の上端に連接された上蓋形成用外フラップ１４、１４と、
前記短辺側の対向側板１１,１１の下端に連接された底板固定用差込フラップ１５又は内フラップ１５ａと、前記長辺側の平面板１２、１２の下端に連接された底板形成用外フラップ１６、１６とから構成され、
長辺側の平面板１２,１２の上下両端に連設された上蓋及び底板形成用外フラップ１４、１６は、前記フラップ１３ａ、１５ａの上面に重なった状態おいて先端同士が突き合わせとなり、その突き合せとなった上蓋形成用外フラップ及び底板形成用外フラップ１４、１４、１６、１６の先端部に切込み溝１７，１８を有しているとともにその切込み溝１７，１８と外フラップの連接線との間に、Ｌ形スリットロック穴１９,２０を有してなり、
一方、前記フラップ１３ａ、１５ａの上面に折り込んだ外フラップ１４、１６は、その上面側から上蓋固定用差込フラップ１３または底板固定用差込フラップ１５を差し込むことにより上蓋及び底蓋がそれぞれ形成され、かつその上蓋及び底蓋の連接方向と素材とする段ボールの段方向とが平行になるように設定され、かつその上蓋及び底蓋の連接方向と素材とする段ボールの段方向とが平行になるように設定されていることを特徴とするノンステープル段ボール箱。
【請求項２】
上蓋固定用差込フラップ１３及び底板固定用差込フラップ１５は先端にフォーク状に突き出る差込２７，２８を有し、かつ短辺側の対向側板１１との連接線と平行な折り曲げ線２１、２２を形成するとともに上蓋固定用差込フラップ１３には上蓋引き起こし摘み２３を設け、底板固定用差込フラップ１５には引き抜け防止フラップ２４を形成したことを特徴とする請求項１に記載のノンステープル段ボール箱。
【請求項３】
対向側板１１,１１に、取っ手穴２５を長辺側の平面板１２を挟んで設け、上蓋形成用外フラップ及び底板形成用外フラップ１４、１４、１６、１６には通気穴２６を設けてなることを特徴とする請求項１に記載のノンステープル段ボール箱。
【考案の詳細な説明】
【技術分野】
【０００１】
本考案は、野菜出荷用包装箱に関し、例えばほうれん草、小松菜、みず菜、ネギ等の葉采類を出荷するのに好適なノンステープル段ボール箱に関するものである。
【背景技術】
【０００２】
野菜出荷用段ボール箱は、ＪＩＳ−Ｚ１５０７の０２０１形式（旧Ａ−１形）の箱が多用されている。この０２０１形式の段ボール箱は、長方形状の４側板を一方向に連接し、その４側板の上下に箱の底面及び天面を封鎖する内フラップ及び外フラップを連接してなる箱である。このＡ−１形の箱は、野菜を出荷する場合、箱の天面及び底面の各フラップをフラットになるようにステープル止めして、輸送の際、箱を安定性して積重ねることができるように構成していた。
【０００３】
最近、量販店での陳列時の開封作業性、使用後の解体作業での安全性及び簡便性の要求と封緘用副資材からのゴミの発生等が問題視され、出荷箱の組立て作業時のステープル止めやテープ止め作業を不要にして、ステープルによる野菜の傷付防止をはかり、開梱作業などを安全に行えるようにすると共に搬送時、積み重ねた箱の安定性を向上させることができるものが提案され、例えば下記文献に示すものが知られている。
【先行技術文献】
【特許文献】
【０００４】
【特許文献１】特開２００３−３１２６３９号公報
【特許文献２】特開２００３−３４１６５５号公報
【特許文献３】特開２００４−３４５６５８号公報
【特許文献４】特開２００４−３４５６５９号公報
【考案の概要】
【考案が解決しようとする課題】
【０００５】
多くの野菜のうち、葉物とも呼ばれる小松菜やほうれん草、みず菜、キクナ、ネギなどといった葉菜類は、鮮度保持のため、自然の生育状態に近い姿で縦詰め輸送すると、鮮度を長く保持できるということが生産農家や流通業者などの間で経験上知られている。しかしこれらの農産物を箱詰めして出荷する際、箱に縦詰めすることは横詰めする場合に較べて手間がかかり、縦置きした場合野菜が倒れたりして収容しづらく、また箱内には無駄な空間ができやすく収納及び作業効率が悪い。
【０００６】
そこで本考案の目的は、ほうれん草などの葉采類を出荷する時は従来のものと同様に横詰収納することができ、輸送中は箱を９０度回して、収納物を縦にして輸送することができる段ボール箱を提案することにある。
また、出荷時の段ボール箱の組立て作業性と量販店で陳列時の開封作業性及び廃棄時の分別作業性や環境問題を解決することができるようにすると同時に、組立て用フラップが抜け出ることなく閉塞保持が容易に行え、箱の歪みを防ぎ安定よく積重ね運搬することができるノンステープル包装箱を提案することである。
【課題を解決するための手段】
【０００７】
上記課題を解決するために本考案は、１組の短辺側の対向側板１１,１１と、他の組の長辺側の平面板１２、１２と、前記短辺側の対向側板１１,１１の上端に連接された上蓋固定用差込フラップ１３又は内フラップ１３ａと、前記長辺側の平面板１２、１２の上端に連接された上蓋形成用外フラップ１４、１４と、
前記短辺側の対向側板１１,１１の下端に連接された底板固定用差込フラップ１５又は内フラップ１５ａと、前記長辺側の平面板１２、１２の下端に連接された底板形成用外フラップ１６、１６とから構成され、
長辺側の平面板１２,１２の上下両端に連設された上蓋及び底板形成用外フラップ１４、１６は、前記フラップ１３ａ、１５ａの上面に重なった状態おいて先端同士が突き合わせとなり、その突き合せとなった上蓋形成用外フラップ及び底板形成用外フラップ１４、１４、１６、１６の先端部に切込み溝１７，１８を有しているとともにその切込み溝１７，１８と外フラップの連接線との間に、Ｌ形スリットロック穴１９,２０を有してなり、
一方、前記フラップ１３ａ、１５ａの上面に折り込んだ外フラップ１４、１６は、その上面側から上蓋固定用差込フラップ１３または底板固定用差込フラップ１５を差し込むことにより上蓋及び底蓋がそれぞれ形成され、かつその上蓋及び底蓋の連接方向と素材とする段ボールの段方向とが平行になるように設定されていることを特徴とするものである。
【０００８】
また、上蓋固定用差込フラップ１３及び底板固定用差込フラップ１５は先端にフォーク状に突き出た差込２７，２８を有し、かつ短辺側の対向側板１１との連接線と平行な折り曲げ線２１、２２を形成するとともに上蓋固定用差込フラップ１３には上蓋引き起こし摘み２３を設け、底板固定用差込フラップ１５には引き抜け防止フラップ２４を形成したことを特徴としている。
【０００９】
さらに又本考案においては、対向側板１１,１１に、取っ手穴２５を長辺側の平面板１２を挟んで設け、上蓋形成用外フラップ及び底板形成用外フラップ１４、１４、１６、１６には通気穴２６を設けてなることを特徴としている。
【考案の効果】
【００１０】
本考案の箱は、ほうれん草などの葉采類を出荷する時、底板固定用差込フラップ１５のフォーク状に突き出る差込を対向する底板形成用外フラップ１６、１６に設けた切込み溝１８とＬ形スリットロック穴２０に差し込むことにより底板が形成され、また上蓋固定用差込フラップ１３を上蓋形成用外フラップ１４、１４に設けた切込み溝１７と、Ｌ形スリットロック穴１９にフォーク状に突き出る差込を差し込むことにより上蓋が形成されるため、ほうれん草などの葉菜類を横詰め収納することができる。
また農産物収納後は、箱の上下を略９０度回転させ、対向側板１１,１１の段ボールの目方向を横から縦方向にすることで、取っ手穴２５が上にくるようにして輸送する。かくして、輸送中は小松菜やほうれん草などの葉采類を縦にして輸送することができるから、鮮度保持のため自然の姿に近い状態で縦詰め輸送することができる。
【００１１】
また、本考案の包装箱は、底板固定用差込フラップ１５のフォーク状に突き出る差込を底板形成用外フラップ１６、１６の真ん中に設けた切込み溝１８に、また上蓋固定用差込フラップ１３のフォーク状に突き出る差込を上蓋形成用外フラップ１４、１４の真ん中に設けた切込み溝１７に挿すだけであるから、底板や蓋板の組立てのために接着剤や封緘金具による固定は不要であるばかりか、箱が組み立てやすい上に箱の歪みが防止でき、同時に安定よく積重ね運搬することができる利点を有する。
【図面の簡単な説明】
【００１２】
【図１】本考案による箱の一実施例を示すブランクの平面図である。
【図２】同上実施例の箱の底面の組立て斜視図である。
【図３】同上実施例の箱の上蓋の組立て斜視図である。
【図４】同上実施例の箱を９０度転回した状態の斜視図である。
【図５】同上実施例の箱の輸送状態の斜視図である。
【考案を実施するための形態】
【００１３】
本考案の実施の形態を図面に基づいて説明する。
図１は、例えばほうれん草を収納するための本考案の段ボール包装箱のブランクを示すものである。このブランクはほぼ長方形をした１枚の段ボールより形成されている。符号Ｆは、段ボールの段を示している。本例の場合、素材である段ボールの段の方向は横目となっていて、上蓋及び底蓋の連接方向と平行に設定されている。
【００１４】
本実施例の段ボール包装箱は１枚１組の短辺側の対向側板１１,１１と、他の組の長辺側の平面板１２、１２と、前記短辺側の対向側板１１,１１の上端に連接された上蓋固定用差込フラップ１３又は内フラップ１３ａと、前記長辺側の平面板１２、１２の上端に連接された上蓋形成用外フラップ１４、１４と、前記短辺側の対向側板１１,１１の下端に連接された底板固定用差込フラップ１５又は内フラップ１５ａと、前記長辺側の平面板１２、１２の下端に連接された底板形成用外フラップ１６、１６とから構成されている。
【００１５】
上蓋固定用差込フラップ１３と底板固定用差込フラップ１５は先端部にフォークのような３本の突起２７，２８を有していると共に、底板固定用差込フラップ１５の先端中央のフォークに引き抜け防止フラップ２４を横向きに設けている。
【００１６】
また図２及び図３に示す通り、長辺側の平面板１２,１２の上下両端に連設された上蓋及び底板形成用外フラップ１４、１６は、内側のフラップ１３ａ、１５ａの上面に重なった状態おいて、先端同士が突き合わせとなり、その突き合せとなった上蓋形成用外フラップ及び底板形成用外フラップ１４、１４、１６、１６の先端部に切込み溝１７，１８を有し、その切込み溝１７，１８と外フラップの連接線との間に、Ｌ形スリットロック穴１９,２０を有している。
【００１７】
内側のフラップ１３ａ、１５ａの上面に折り込む外フラップ１４、１６は、その上面側から上蓋固定用差込フラップ１３または底板固定用差込フラップ１５を差し込むことにより上蓋及び底蓋がそれぞれ組み立てられる。
なお符号２５は取っ手穴であり、長辺側の平面板１２を挟んで設けられる。符号２６は上蓋形成用外フラップ及び底板形成用外フラップに設ける通気穴２６である。符号３０は長辺側の平面板１２に連接した糊代であり、短辺側の対向側板１１に接続させる。
【００１８】
上記の構成において、箱内にほうれん草などを入れ出荷するときは、図２のように底板固定用差込フラップ１５のフォーク状に突き出る差込を対向する底板形成用外フラップ１６、１６に設けた切込み溝１８とＬ形スリットロック穴２０に差し込むことにより、先ず底板を組み立てる。次に、底板固定用差込フラップ１５に設けた引き抜け防止フラップ２４で底抜けを防止しながら、箱内にほうれん草などを横詰めする。上蓋の閉じ方については、まず短辺側の内フラップ１３ａを内側に折り、その上に上蓋形成用外フラップ１４、１４を折り曲げる。続いて、上蓋固定用差込フラップ１３を上蓋形成用外フラップ１４、１４に設けた切込み溝１７と、Ｌ形スリットロック穴１９にフォーク状に突き出る差込を差し込むことにより上蓋を閉じる。
【００１９】
上記のように、ほうれん草など収納した状態の段ボール箱を市場に出荷する時は、箱を９０度回転させ、対向側板１１、１１に設ける取っ手穴２５が上側にくるように回転する。段ボールの段Ｆを横から縦方向に回転することで、取っ手穴２５が上側にくるようにする（図４参照）。
かくして、図５のように箱を段積して輸送するときは、段ボールの段の方向に垂直に積圧が加わるようにすると、小松菜やほうれん草などの葉采類を鮮度保持のため自然の姿に近い状態で縦詰め輸送することができる。また、本考案の包装箱は、底板や蓋板の組立てのために接着剤や封緘金具による固定は不要であるばかりか、箱が組み立てやすい上に箱の歪みが防止でき、同時に図５に示すように集積した状態で安定よく積重ね運搬することができる利点を有する。
【００２０】
また、本考案の箱の構成によれば、封緘金具やテープ等の封緘用資材の使用を廃止して、箱組立時の作業性と廃棄時の分別作業性や環境問題を解決すると同時に、底面に相当の荷重がかかってもフラップが開くことが防止できる封緘力の高い野菜類の収納箱を提供することができるものである。
【符号の説明】
【００２１】
１１  短辺側の対向側板
１２  長辺側の平面板
１３  上蓋固定用差込フラップ
１３ａ  内フラップ
１４  上蓋形成用外フラップ
１５  底板固定用差込フラップ
１５ａ  内フラップ
１６  底板形成用外フラップ
１７、１８  切込溝
１９、２０  Ｌ形スリットロック穴
２１、２２  折り曲げ線
２３  上蓋引起こし摘み
２４  引き抜け防止フラップ
２５  取っ手穴
２６  通気穴
２７、２８  差込
【図１】
0003157952.tif 000003
【図２】
0003157952.tif 000004
【図３】
0003157952.tif 000005
【図４】
0003157952.tif 000006
【図５】
0003157952.tif 000007